(57)【要約】【課題】水の除菌殺菌装置において、空気用殺菌灯の照射によって貯水槽内に供給される空気を浄化し、そして、この浄化された空気を貯水槽内に貯留された水中に供給して水に気泡を生じさせ、さらに、この水中に気泡が生じている状態で水用殺菌灯の照射によって水の殺菌を行い、貯水槽内の水の浄化において、薬物の混入をすることなく、水の殺菌を効率良く実施することにある。【解決手段】水が貯留される貯水槽を設け、この貯水槽内に空気を供給する空気ポンプが内蔵されたポンプボックスを設け、ポンプボックス内で空気ポンプに吸い込まれる空気に照射する空気用殺菌灯を設けるとともに、貯水槽内の水に照射する水用殺菌灯を設けている。【選択図】図１
2005230696.tif 000002
【特許請求の範囲】
【請求項１】
水が貯留される貯水槽を設け、この貯水槽内に空気を供給する空気ポンプが内蔵されたポンプボックスを設け、このポンプボックス内で前記空気ポンプに吸い込まれる空気に照射する空気用殺菌灯を設けるとともに、前記貯水槽内の水に照射する水用殺菌灯を設けたことを特徴とする水の除菌殺菌装置。
【発明の詳細な説明】
【技術分野】
【０００１】
この発明は、水の除菌殺菌装置に係り、特に貯水槽の水を殺菌する水の除菌殺菌装置に関するものである。
【背景技術】
【０００２】
飲用水等の浄化においては、一般的に、浄水装置の浄水器内の濾過フィルタによって行ったり、あるいは、浄水器内の一対の電極間に電圧を印加することによってフィルタ内の雑菌をマイナス電極に引き付けて雑菌の流出や繁殖を防止している。
【０００３】
また、図１５に示す如く、貯水槽１００２においては、底壁１００４と上壁１００６と一対の側面壁１００８−１・１００８−２と一対の端面壁１０１０−１・１０１０−２とからなって水を貯留するタンク空間１０１２を形成している。この貯水槽１００２には、一側の端面壁１０１０−１の上部位に給水口部１０１４が設けられているとともに、他側の端面壁１０１４−２の上部位に排水口部１０１６が設けられている。
【０００４】
また、貯水槽１００２とは別途に、薬物槽１０１８が設けられている。この薬物槽１０１８は、内部に水の殺菌用の薬物を収納し、薬物排出口部１０２０からの薬物を、貯水槽１００２のタンク空間１０１２に貯留した水に混入し、貯水槽１００２内の水を殺菌している。
【０００５】
さらに、従来、浄水装置には、複数の浄水器を支持手段に上下多段に直列に設置し、この浄水器を送水パイプで直列に連結するとともに、最下段の浄水器の吸水口に加圧送水手段を連結し、最上段の浄水器の排出口に送水パイプを連結することで、狭い場所で、大容量の浄水能力を得るものがある。
【特許文献１】特開平１０−１３７７４２号公報
【発明の開示】
【発明が解決しようとする課題】
【０００６】
ところで、従来、貯水槽においては、図１５に示すように、貯水槽内に貯留した水に薬物を混入して殺菌する場合に、薬物が大量に必要になるとともに、水の雑菌の殺菌効率が低く、改善が望まれていた。
【課題を解決するための手段】
【０００７】
この発明は、水が貯留される貯水槽を設け、この貯水槽内に空気を供給する空気ポンプが内蔵されたポンプボックスを設け、このポンプボックス内で前記空気ポンプに吸い込まれる空気に照射する空気用殺菌灯を設けるとともに、前記貯水槽内の水に照射する水用殺菌灯を設けたことを特徴とする。
【発明の効果】
【０００８】
この発明の水の除菌殺菌装置は、ポンプボックス内で空気ポンプに吸い込まれる空気に照射する空気用殺菌灯を設けるとともに、貯水槽内の水に照射する水用殺菌灯を設けるので、先ず、空気用殺菌灯の照射によって貯水槽内に供給される空気を浄化し、そして、この浄化された空気を貯水槽内に貯留された水中に供給して水に気泡を生じさせ、さらに、この水中に気泡が生じている状態で水用殺菌灯の照射によって水の殺菌を行うことから、貯水槽内において、薬物の混入をすることなく、水の殺菌を効率良く実施することができる。
【発明を実施するための最良の形態】
【０００９】
この発明は、水の殺菌を効率良く実施する目的を、空気用殺菌灯と水用殺菌灯とを設けて実現するものである。
以下、図面に基づいてこの発明の実施例を詳細且つ具体的に説明する。
【実施例１】
【００１０】
図１、図２は、この発明の第１実施例を示すものである。
【００１１】
図１、図２において、２は水を貯留する貯水槽、４はこの貯留槽２内の水中に空気を供給する空気供給装置、６は貯水槽２と空気供給装置４とを連結する空気供給管である。
【００１２】
貯留槽４と空気供給装置６とには、水の除菌殺菌装置８として、水用殺菌機構８−１と空気用殺菌機構８−２とが設けられている。
【００１３】
貯水槽２は、底壁１０と上壁１２と一対の側面壁１４−１・１４−２と一対の端面壁１６−１・１６−２とからなり、水を貯留するタンク空間１８を形成している。一側の端面壁１６−１の上部位には、水をタンク空間１８に供給する給水口部２０が設けられている。また、他側の端面壁１６−２の上部位には、タンク空間１８の水を排出する排水口部２２が設けられている。
【００１４】
この貯水槽２内の底壁１２の上面には、気泡機構２４が設けられている。この気泡機構２４は、多数の細孔が形成された複数の主管材２６が所定間隔で隔てて配置されるとともに、これら主管材２６に連結し且つ前記空気供給管６に連結して貯水槽２内では多数の細孔が形成された連結管材２８を備えている。
【００１５】
また、貯水槽２の上壁１４の内面には、水用殺菌機構８−１として、所定に複数列に配置された複数の水用殺菌灯３０−１が設けられている。また、他側の端面壁１６−２には、電源（図示せず）に接続されてこの水用殺菌灯３０−１を作動する水用殺菌制御ユニット３２−１が設けられている。水用殺菌灯３０−１は、電源（図示せず）によって作動すると、紫外線を上方からタンク空間１８内の水に照射して該水の殺菌を行うものである。
【００１６】
この場合、各水用殺菌灯３０−１は、防水型のものであり、また、保守点検が容易なように、点検交換扉３４に夫々取り付けられている。
【００１７】
空気供給装置４は、ポンプボックス３６内の仕切壁３８により前記空気供給管６が連通するポンプ室４０と空気殺菌室４２とを区画形成し、ポンプ室４０に空気ポンプ４４及び電源（図示せず）に接続されるポンプ制御ユニット４６を備えるとともに、空気殺菌室４２内に空気を吸い込む空気吸込口部４８を備えている。空気ポンプ４４は、駆動すると、外部の空気を空気吸込口部４８から空気殺菌室４２とポンプ室４０と空気供給管６とを経て気泡機構２４に供給する。
【００１８】
空気殺菌室４２には、空気用殺菌機構８−２として、所定に配設された複数の空気用殺菌灯３０−２と、電源（図示せず）に接続されてこの空気用殺菌灯３０−２を作動する空気用殺菌制御ユニット３２−２とが設けられている。この空気用殺菌灯３０−２は、電源（図示せず）によって作動すると、紫外線を照射して空気吸込口部４８から空気殺菌室４２に吸い込まれた空気の殺菌を行うものである。
【００１９】
次に、この第１実施例の作用を説明する。
【００２０】
貯水槽２内の水の殺菌においては、先ず、空気供給装置４の空気ポンプ４４を駆動すると、外部の空気が空気吸込口部４８から空気殺菌室４２に導かれ、そして、この空気は、空気用殺菌機構８−２の空気用殺菌灯３０−２からの紫外線の照射により、殺菌される。
【００２１】
そして、この殺菌された空気は、ポンプ室４０を経て空気供給管６から気泡機構２４の主管材２６及び連結管材２８の各細孔から噴出され、タンク空間１８の水中に水泡を生じさせる。
【００２２】
この水中に気泡が生じている状態において、水用殺菌機構８−１の水用殺菌灯３０−１から紫外線を照射することにより、水泡を生じて流動している水の殺菌を効果的に行う。
【００２３】
この結果、水が貯留される貯水槽２を設け、この貯水槽２内に空気を供給する空気ポンプ４４が内蔵されたポンプボックス３６を設け、ポンプボックス３６内で空気ポンプ４４に吸い込まれる空気に照射する空気用殺菌灯３０−２を設けるとともに、貯水槽２内の水に照射する水用殺菌灯３０−１を設けたことから、空気用殺菌灯３０−２の照射によって貯水槽２内に供給される空気を浄化し、そして、この浄化された空気を貯水槽２内に貯留された水中に供給して水に気泡を生じさせ、さらに、この水中に気泡が生じている状態で水用殺菌灯３０−１の照射によって水の殺菌を行うことから、貯水槽２内において、薬物の混入をすることなく、水の殺菌を効率良く実施することができる。
【実施例２】
【００２４】
図３は、この発明の第２実施例を示すものである。
【００２５】
この第２実施例の特徴とするところは、以下の点にある。即ち、水の除菌殺菌装置１０２は、温水式のジャーポット１０４に設置される。このジャーポット１０４は、ポット本体１０６に、上部で排水操作部１０８と排水口部１１０とを備えるとともに、内部の本体空間１１２に排水口部１１０に連絡する排水導管１１４を備え、下部で外周面にマグネット式プラグ１１６を接続するマグネット式コンセント１１８を備えている。
【００２６】
ポット本体１０６には、水用予備タンク１２０が一体的に取り付けられる。この水用予備タンク１２０は、予備タンク本体１２２がポット本体１０６の側面に固着して取り付けられ、タンク空間１２４が水用連通孔部１２６によってポット本体１０６内に連通し、また、上部に水を供給する給水口部１２８を備えている。この水用予備タンク１２０のタンク空間１２４には、防水型の殺菌灯１３０が設けられている。この防水型の殺菌灯１３０は、紫外線の照射によってタンク空間１２４に貯留された水を殺菌するものであり、殺菌制御ユニット（図示せず）に接続している。
【００２７】
この第２実施例によれば、水用予備タンク１２０において、給水口部１２８から供給されたタンク空間１２４の水は、殺菌灯１３０からの紫外線の照射によって殺菌される。そして、この殺菌された水は、水用連通孔部１２６からジャーポット１０４の本体空間１１２に導かれて加温・保温される。よって、ジャーポット１０４の飲用水の殺菌を、効率良く行うことができる。
【実施例３】
【００２８】
図４は、この発明の第３実施例を示すものである。
【００２９】
この第３実施例の特徴とするところは、以下の点にある。即ち、水の除菌殺菌装置２０２は、浄水タンク２０４に設置される。この浄水タンク２０４は、底壁２０６と上壁２０８と側面壁２１０・２１０・２１０・２１０とからなり、水道水を貯留するタンク空間２１２を形成している。一の側面部２１０には、上側で水道水の給水管２１４が接続されるとともに、下側で排水管２１６が接続されている。この排水管２１６の端部には、排水栓２１８が取り付けられている。そして、タンク空間２１２には、一の部位に防水型の殺菌灯２２０が取り付けられている。防水型の殺菌灯２２０は、紫外線の照射によってタンク空間２１２に貯留された水道水を殺菌するものであり、殺菌制御ユニット（図示せず）に接続している。
【００３０】
この第３実施例によれば、浄水タンク２０４において、給水管２１４から供給されてタンク空間２１２内に貯留した水道水は、殺菌灯２２０からの紫外線の照射によって殺菌される。そして、この殺菌された水は、排水管２１６から排出される。よって、浄水タンク２０４の水道水の殺菌を、効率良く行うことができる。
【実施例４】
【００３１】
図５は、この発明の第４実施例を示すものである。
【００３２】
この第４実施例の特徴とするところは、以下の点にある。即ち、水の除菌殺菌装置３０２は、製氷機３０４に設置される。この製氷機３０４は、底壁３０６と上壁３０８と側面壁３１０・３１０・３１０・３１０とからなり、内部で上側の製氷板３１２と下側の機器仕切板３１４とで、上方から順次に、製氷室３１６と氷溜室３１８と機器室３２０とを区画形成している。この機器室３２０には、電源（図示せず）に接続される冷凍機３２２が設置されている。氷溜室３１８の一の側部には、開閉扉３２４が開閉可能に取り付けられている。そして、製氷室３１６の一の側面壁の内面には、防水型の殺菌灯３２６が設けられている。この殺菌灯３２６は、製氷室３１６内の水を殺菌するものであり、殺菌制御ユニット（図示せず）に接続している。
【００３３】
この第４実施例によれば、製氷室３１６内の水は、殺菌灯３２６からの紫外線の照射によって殺菌される。そして、この殺菌された水が氷結し、この氷結が製氷板３１２から下方の氷溜室３１８に落下して留まり、開閉扉３２４を開けることで、取り出される。よって、製氷過程において、水の殺菌を、効率良く行うことができる。
【実施例５】
【００３４】
図６は、この発明の第５実施例を示すものである。
【００３５】
この第５実施例の特徴とするところは、以下の点にある。即ち、水の除菌殺菌装置４０２は、風呂水中の気泡浴装置４０４に設置される。この気泡浴装置４０４は、空気供給機構４０６と気泡噴気機構４０８とが空気供給管４１０で連結して構成されている。空気供給機構４０６は、ポンプボックス４１２内のボックス空間４１４に空気ポンプ４１６を備えるとともに、端壁４１８にフィルタ４２０が設けられた吸気口部４２２を備えている。このポンプボックス４１２内のボックス空間４１４には、空気ポンプ４１６を包囲して空気取入口４２４を備えたポンプカバー４２６と、上壁４２８に取り付けられた空気用殺菌灯４３０とが設けられている。この空気用殺菌灯４３０は、吸気口部４２２から吸い込まれた空気を殺菌するものであり、殺菌制御ユニット（図示せず）に接続している。また、気泡噴気機構４０８は、風呂水中に設置されるものであり、板状の気泡発生本体４３２に多数の細孔が形成されている。
【００３６】
この第５実施例によれば、空気ポンプ４１６の駆動により、吸気口部４２２から外部の空気が吸い込まれ、この空気は、空気用殺菌灯４３０からの紫外線の照射によって殺菌され、浄化される。そして、この浄化された空気は、空気取入口４２４から空気供給管４１０を経て気泡発生本体４３２に導かれ、この気泡発生本体４３２の細孔から噴出されて風呂水に気泡を生じさせる。よって、風呂水中で気泡を生じさせる空気の殺菌を、効率良く行うことができる。
【実施例６】
【００３７】
図７は、この発明の第６実施例を示すものである。
【００３８】
この第６実施例の特徴とするところは、以下の点にある。即ち、水の除菌殺菌装置５０２は、温泉用浄水装置５０４に設置される。この温泉用浴装置５０４は、浴槽５０６に温水を供給する浄水器５０８を備えている。この浄水器５０８は、浴槽５０６に吸水パイプ５１０及び温水循環パイプ５１２によって連結している。
【００３９】
浄水器５０８の本体５１４の本体空間５１６には、吸水パイプ５１０に接続して複数段のフィルタ５１８を備えたフィルタ部５２０と、このフィルタ部５２０に接続してタンク空間５２２内で複数の防水型の殺菌灯５２４を備えた殺菌タンク５２６と、この殺菌タンク５２６に接続し且つ温水循環パイプ５１２に接続したバーナコイル５２８を備えたバーナ部５３０とが設けられている。殺菌灯５２４は、循環する浴槽５０６の水を殺菌するものであり、殺菌制御ユニット（図示せず）に接続している。吸水パイプ５１０には、吸水モータ５３２が設けられている。温水循環パイプ５１２には、温水循環モータ５３４が設けられている。
【００４０】
この第６実施例によれば、浴槽５０６内の水は、吸水モータ５３２が駆動することで、吸水パイプ５１０からフィルタ部５２０を経て殺菌タンク５２６のタンク空間５２２に導かれ、このタンク空間５２２において殺菌灯５２４からの紫外線の照射によって殺菌される。そして、この殺菌された水は、バーナ部５３０で加温され、温水循環パイプ５１２を経て浴槽５０６内に循環される。よって、循環する温泉用水の殺菌を、効率良く行うことができる。
【実施例７】
【００４１】
図８は、この発明の第７実施例を示すものである。
【００４２】
この第７実施例の特徴とするところは、以下の点にある。即ち、水の除菌殺菌装置６０２は、給水装置６０４に設置される。この給水装置６０４の給水タンク６０６は、底壁６０８と上壁６１０と側面壁６１２・６１２・６１２・６１２とからなり、タンク空間６１４を形成している。上壁６０４には、給水栓６１６を備えた給水パイプ６１８が接続しているとともに、底壁６０８には排水栓６２０を備えた排水管６２２が接続している。
【００４３】
また、タンク空間６１４内においては、攪拌機６２４が設置されている。この攪拌機６２４は、上壁６１０に設置したモータ６２６と、このモータ６２６によって回転されてタンク空間６１４内の水を攪拌する攪拌羽根６２６を備えた攪拌具６２８とからなる。また、タンク空間６１４内において、側面壁６１２・６１２・６１２・６１２の上側には、防水型の殺菌灯６３０・６３０・６３０・６３０が取り付けられている。排水管６２２には、給水タンク６０６側のタンク側バツクボアード６３４−１と、排水栓６２０側の排水栓側バツクボアード６３４−２とが設けられている。殺菌灯６３０は、タンク空間６１４内の水を殺菌するものであり、殺菌制御ユニット（図示せず）に接続している。
【００４４】
この第７実施例によれば、モータ６２６が駆動するタンク空間６１４内の水が効率良く隅々まで攪拌され、このとき、殺菌灯６３０が紫外線を照射すると、その水の殺菌が、効率良く行われる。
【実施例８】
【００４５】
図９は、この発明の第８実施例を示すものである。
【００４６】
この第８実施例の特徴とするところは、以下の点にある。即ち、水の除菌殺菌装置７０２は、ウォータクーラ７０４に設置される。このウォータクーラ７０４は、タンク空間７０６を形成する貯水タンク７０８と連結縦壁部７１０とコップ台部７１２とが一体的に構成されている。貯水タンク７０８の下部位には、水供給部７１４・７１４が取り付けられている。この水供給部７１４・７１４の下方でコップ台部７１２には、コップ７１６・７１６が設置される。また、貯水タンク７０８のタンク空間７０６には、防水型の殺菌灯７１８が設けられている。この殺菌灯７１８は、貯水タンク７０８の水を殺菌するものであり、殺菌制御ユニット（図示せず）に接続している。
【００４７】
この第８実施例によれば、貯水タンク７０８のタンク空間７０６に貯留された飲用水は、殺菌灯７１８からの紫外線の照射によって殺菌される。そして、この殺菌された飲用水は、水供給部７１４・７１４からコップ７１６・７１６に供給される。よって、ウォータクーラ７０４の貯水タンク７０８の飲用水の殺菌を、効率良く行うことができる。
【実施例９】
【００４８】
図１０は、この発明の第９実施例を示すものである。
【００４９】
この第９実施例の特徴とするところは、以下の点にある。即ち、水の除菌殺菌装置８０２は、魚・肉・野菜等を保管する水道水の水槽８０４に設置される。この水槽８０４は、底部８０６と側面壁８０８・８０８・８０８・８０８とからなり、魚・肉・野菜等を保管する水を貯留するタンク空間８１０を形成している。このタンク空間８１０には、上方の水道栓８１２からの水道水が貯留される。そして、このタンク空間８１０において、側面壁８０８・８０８・８０８・８０８には、防水型の殺菌灯８１４・８１４・８１４・８１４が取り付けられているとともに、この殺菌灯８１４・８１４・８１４・８１４からの照射の漏れを防止する防護板８１６・８１６・８１６・８１６・８１６が取り付けられている。殺菌灯８１４は、水槽８０４の水を殺菌するものであり、殺菌制御ユニット（図示せず）に接続している。
【００５０】
この第９実施例によれば、水槽８０４のタンク空間８１０内の水は、殺菌灯８１４からの紫外線を照射することで、殺菌される。よって、魚・肉・野菜等を保管する水道水の殺菌が、効率良く行われる。
【実施例１０】
【００５１】
図１１は、この発明の第１０実施例を示すものである。
【００５２】
この第１０実施例の特徴とするところは、以下の点にある。即ち、水の除菌殺菌装置９０２は、貯水池９０４からの水を貯留する浄化貯水槽９０６に設置される。浄化貯水槽９０６は、底壁９０８と上壁９１０と側面壁９１２・９１２・９１２・９１２とからなり、タンク空間９１４を形成している。一側の側端壁９１２に導水パイプ９１４が接続されるとともに、他側の側端壁９１４に排水パイプ９１６が接続される。この排水パイプ９１６には、排水栓９１８を備えた分配管９２０が複数本接続されている。浄化貯水槽９０６のタンク空間９１４には、複数の殺菌灯９２２が上下方向に指向して設置されている。
【００５３】
この殺菌灯９２２は、例えば、図１２（Ａ）（Ｂ）に示す如く、透明な防水ケース９２４及びケースキャップ９２６内に内臓されて、吊持部材９２８を介して上壁９１０に吊持され、３６０度で照射可能に形成した。
【００５４】
この第１０実施例によれば、貯水池９０４からの導かれた浄化貯水槽９０６のタンク空間９１４内の水は、３６０度で照射する殺菌灯９２２によって殺菌される。よって、貯水池９０４からの水が、浄化貯水槽９０６のタンク空間９１４内で、効率良く行われる。
【００５５】
また、この第１０実施例においては、図１３に示す如く、殺菌灯として、防水ケース等を不要とする防水型の殺菌灯９３０を用いることも可能であり、この場合、図１４に示す如く、殺菌灯９３０を複数列で固定板９３２を介して上壁９１０に固着することも可能である。
【産業上の利用可能性】
【００５６】
空気用殺菌灯と水用殺菌灯とを設けることを、他の装置にも適用することができる。
【図面の簡単な説明】
【００５７】
【図１】第１実施例において貯水槽及び空気供給装置に設置された水の除菌殺菌装置の斜視図である。
【図２】第１実施例において貯水槽及び空気供給装置に設置された水の除菌殺菌装置の断面図である。
【図３】第２実施例においてジャーポットに設置された水の除菌殺菌装置の断面図である。
【図４】第３実施例において浄水タンクに設置された水の除菌殺菌装置の斜視図である。
【図５】第４実施例において製氷機に設置された水の除菌殺菌装置の斜視図である。
【図６】第５実施例において気泡浴装置に設置された水の除菌殺菌装置の斜視図である。
【図７】第６実施例において温泉用浄水器に設置された水の除菌殺菌装置の斜視図である。
【図８】第７実施例において給水装置に設置された水の除菌殺菌装置の斜視図である。
【図９】第８実施例においてウォータクーラに設置された水の除菌殺菌装置の斜視図である。
【図１０】第９実施例において水槽に設置された水の除菌殺菌装置の斜視図である。
【図１１】第１０実施例において浄水貯水槽に設置された水の除菌殺菌装置の斜視図である。
【図１２】（Ａ）  第１０実施例において殺菌灯の斜視図である。      （Ｂ）  第１０実施例において殺菌灯の防水ケースの斜視図である。
【図１３】第１０実施例の変形例において防水型の殺菌灯の斜視図である。
【図１４】第１０実施例の変形例において防水型の殺菌灯を設置した浄水貯水槽の斜視図である。
【図１５】従来において水の除菌殺菌装置の斜視図である。
【符号の説明】
【００５８】
２  貯水槽
４  空気供給装置
６  空気供給管
８  水の除菌殺菌装置
１８  タンク空間
２４  気泡機構
３０  殺菌灯
３２  殺菌制御ユニット
４０  ポンプ室
４２  空気用殺菌室
４４  空気ポンプ
４８  空気吸込口部
【図１】
2005230696.tif 000003
【図２】
2005230696.tif 000004
【図３】
2005230696.tif 000005
【図４】
2005230696.tif 000006
【図５】
2005230696.tif 000007
【図６】
2005230696.tif 000008
【図７】
2005230696.tif 000009
【図８】
2005230696.tif 000010
【図９】
2005230696.tif 000011
【図１０】
2005230696.tif 000012
【図１１】
2005230696.tif 000013
【図１２】
2005230696.tif 000014
【図１３】
2005230696.tif 000015
【図１４】
2005230696.tif 000016
【図１５】
2005230696.tif 000017